(57)【要約】【課題】擁壁の保持、補強用の部材となるタイバーに関するもので、型枠大工や配筋工を投入して、施工現場にて鉄筋コンクリート製のタイバーを構築しているという不合理な点を解消する。【解決手段】支柱により垂直方向に積層される複数枚の擁壁パネルと、該積層された複数枚の擁壁パネルの裏面に設けられる略直角三角形状のタイバーから成り、該略直角三角形状のタイバーは直方体形状を有したＰＣコンクリートブロック片を下方より積み重ねて前記積層された複数枚の擁壁パネルからなる擁壁と一体的に構築され、前記擁壁パネルからなる擁壁とＰＣコンクリートブロック片からなる略直角三角形状のタイバーとの一体化は、縦横に配置され緊張可能な緊張シャフト、又は緊張ワイヤーからなる緊張線にて行う構成とした。【選択図】図３
2012167460.tif 000002
【特許請求の範囲】
【請求項１】
親杭上部が構成する支柱により垂直方向に積層される複数枚の擁壁パネル、該積層された複数枚の擁壁パネルの裏面に設けられる略直角三角形状のタイバー、該略直角三角形状のタイバーは直方体形状を有したＰＣコンクリートブロック片を下方より積み重ねて前記積層された複数枚の擁壁パネルからなる擁壁と一体的に構築され、該擁壁パネルからなる擁壁とＰＣコンクリートブロック片からなる略直角三角形状のタイバーとの一体化は縦横に配置され緊張可能な緊張シャフト又は緊張ワイヤーからなる緊張線にて行うことを特徴とした擁壁裏面を保持補強するためのタイバー。
【請求項２】
親杭上部が構成する支柱により垂直方向に積層される複数枚の擁壁パネル、該積層された複数枚の擁壁パネルの裏面に設けられ直方体形状を有したＰＣコンクリートブロック片を下方より積み重ねて構成した略直角三角形状のタイバー、該略直角三角形状のタイバー先端部に設けられ支柱保持用親杭により安定地盤上に設置されたアンカーウェイトからなり、前記積層された擁壁パネルと略直角三角形状のタイバー及びアンカーウェイトは縦横に配置され緊張可能な緊張シャフト又は緊張ワイヤーからなる緊張線にて連繋し一体化されていることを特徴とした擁壁裏面を保持補強するためのタイバー。
【請求項３】
親杭上部が構成する支柱により垂直方向に積層される複数枚の擁壁パネル、該積層された複数枚の擁壁パネルの裏面に設けられる略直角三角形状のタイバー、該略直角三角形状のタイバーはＵ字形状を有したＰＣコンクリートブロック片を下方より積み重ね夫々のＵ字形状内部にコンクリートを打設可能となし前記積層された複数枚の擁壁パネルからなる擁壁と一体的に構築され、該擁壁パネルからなる擁壁とＵ字形状のＰＣコンクリートブロック片からなる略直角三角形状のタイバーの一体化は縦横に配置され緊張可能な緊張シャフト又は緊張ワイヤーからなる緊張線にて行うことを特徴とした擁壁裏面を保持補強するためのタイバー。
【請求項４】
親杭上部が構成する支柱により垂直方向に積層される複数枚の擁壁パネル、該積層された複数枚の擁壁パネルの裏面に設けられＵ字形状を有したＰＣコンクリートブロック片を下方より積み重ねて構成した略直角三角形状のタイバー、該略直角三角形状のタイバー先端部に設けられ支柱保持杭により安定地盤状に設置されたアンカーウェイトからなり、前記積層された擁壁パネルと略直角三角形状のタイバー及びアンカーウェイトは縦横に配置され緊張可能な緊張シャフト又は緊張ワイヤーからなる緊張線にて連繋し一体化されていることを特徴とした擁壁裏面を保持補強するためのタイバー。
【請求項５】
前記略直角三角形状のタイバーを構成する直方体形状のＰＣコンクリートブロック片、並びにＵ字形状のＰＣコンクリートブロック片は夫々ブロック片の側壁に突起したリブ部を有しており、該リブ部は前記ＰＣコンクリートブロック片を積層して略直角三角形状のタイバーを構築した際にタイバーの両側に広がるリブ壁を構成したことを特徴とする請求項１乃至請求項４に記載の擁壁裏面を保持補強するためのタイバー。
【請求項６】
前記略直角三角形状のタイバーを構成する直方体形状のＰＣコンクリートブロック片、並びにＵ字形状のＰＣコンクリートブロック片にはブロック片の積層後にコンクリートを打設することにより少なくとも夫々のＰＣコンクリートブロック片が縦方向に連繋可能なコンクリート流入用穴部を有していることを特徴とする請求項１乃至請求項５に記載の擁壁裏面を保持補強するためのタイバー。
【発明の詳細な説明】
【技術分野】
【０００１】
本発明は、傾斜地を安全な宅地や道路に造成するために必要な擁壁裏面を保持補強するためのタイバーに関するものであり、更に詳説すれば、積層される複数枚の擁壁、及び擁壁を保持する支柱を擁壁の裏面側で保持、補強して擁壁の積層高さを増やすことのできるタイバーに関するものである。
【背景技術】
【０００２】
傾斜地の崩落を防止するための従来の擁壁工法の原理は、石やブロック等の擁壁材料が重みで傾斜地にもたれ掛った状態で擁壁を構築する方法や、傾斜地の土を掘削した後に当該部分を安定させる方法、並びにＨ型鋼等の凹部嵌合溝を有する親杭を８０〜１５０ｃｍ程度の間隔で打設して横矢板を前記親杭間の凹部嵌合溝に嵌着して擁壁を構築する方法等がある。
【０００３】
また、近年は土地を有効利用するために傾斜地の利用は益々盛んで、傾斜地に設けられる宅地や道路では、特に豪雨や地震による地盤の崩壊を確実に防止できる擁壁を設けて安全な宅地の造成や、道路の造成を行う擁壁の構築工法の開発が求められており、その擁壁の構築工法は、傾斜地を含む狭隘な地域でも施工が可能である事、また、工事が短期間で出来ることや、工事費が比較的安価であること等が、大きなニーズとなってきている。
【０００４】
斯くして、本発明の原点となる従来例は、特開２０００−２９７４０３号公報（以下、特許文献１と称する）に記載された第２の実施形態であり、該特許文献１の第２の実施形態には、上述した傾斜地を含む狭隘な地域でも施工が可能であり、また、工事が比較的短期間で、安価に施工出来る擁壁の施工方法を提供することを目的とした発明が記載されている。
【０００５】
図１０は、特許文献１に開示された従来例を示す断面説明図であり、５０は基礎、５１は支柱、５２は壁版、５３はアンカーウェイト、５４はタイバー、５５は床板である。
【０００６】
そして、特許文献１に記載された実施形態には、擁壁を構成する壁版５２と床版５５とを一体的に構成する方法、及び壁版５２とタイバー５４を一体化する構成を特徴として、略三角形状のタイバー５４の構成が説明されている。即ち、擁壁（壁版５２）の裏面に構築されるタイバー５４とは、擁壁（壁版５２）よりも山側の安定地盤の設置されるアンカーウエィト５３と擁壁（壁版５２）、または擁壁（壁版５２）を保持する支柱５１間を連結するための部材であり、積層される擁壁（壁版５２）に充分な強度を与えるための部材で、該タイバー５４は、略三角形状を有して、その一辺が積層される擁壁の高さ方向や、擁壁を保持する支柱５１の高さ方向に沿って固着されていて筋交いの役割を果たしており、前記安定地盤に設置されたアンカーウエィト５３の受ける土圧やタイバー５４が周囲より受ける摩擦力や土圧などによって、擁壁（壁版５２）や擁壁の支柱５１にかかる力に対抗することができ、安全な強度を有する擁壁（壁版５２）の構築が可能であるとしている。
【０００７】
而して、特許文献１を説明する図１０において、擁壁はどのような構造でもよいが、ここでは一例として、適当な間隔で杭状の基礎５０を形成し、Ｈ型鋼などの支柱５１を立てる。そして、支柱５１間にＰＣ板などにより壁版５２を設け、擁壁を構築している。
【０００８】
一方、擁壁よりも山側の安全地盤にアンカーウェイト５３を設置し、アンカーウェイト５３と擁壁（壁版５２）間をタイバー５４で結ぶ。アンカーウェイト５３は、例えば鉄筋コンクリートや杭などで構成することができる。また、タイバー５４は、型枠を作り該型枠内に配筋をして鉄筋コンクリート構造のタイバー５４を構築するものであり、或いは、ＰＣ板を擁壁（壁版５２と支柱５１からなる）とアンカーウェイト５３間に固定することによって構成することも可能であるとしており、図１０においては、壁版５２と床板５５を一体的に、そして、壁版５２の裏面に壁版５２とタイバー５４、そしてアンカーウェイト５３を一体的に構成した例を示している。
【０００９】
そして、この従来例では、略三角形状のタイバー５４は鉄筋コンクリート工法を用いて現場にて構築したり、或いは、ＰＣコンクリート板のように所定の形を有した工場成形品を作り、該製品を現場に搬入して提供することが可能であるとしており、タイバー５４は、略三角形状のタイバーとすることにより、タイバー５４の自重を増加させ、また、周囲の摩擦力を増大させることが可能で、擁壁を裏面から補強して擁壁全体の強度を強くすることにより途中での屈折を防止して、擁壁の積層高さを高くさせることができる。また、斜面によっては、タイバー５４がこのような略三角形状であるために、不安定地盤をそれほど大きく掘削しないでタイバー５４を設置することが可能であるとしている。
【００１０】
然しながら、特許文献１にて開示された擁壁の施工方法においては、擁壁（壁版５２）とタイバー５４とを一体的に構成する方法として、現場施工の鉄筋コンクリート工法を採用したり、大きくて重い略三角形状のＰＣコンクリート成形品を現場に供給して施工する方法を採用せざるを得ない。
【００１１】
従って、特許文献１の従来例のうち、現場施工の鉄筋コンクリート工法を用いた場合には、現場に型枠大工や配筋工を手配して鉄筋コンクリートの型枠を施工した後にコンクリートを打設しなくてはならず、種々の工程が必要となり工事が煩雑になるという欠点を有している。
【００１２】
また、大きくて重い略三角形状のＰＣコンクリート成形品からなるタイバーをＰＣ工場にて製作して現場に搬入して取付施工することは、傾斜地を含む狭隘な地域での工事に搬入や楊重作業の制限を加えることになり、当該ＰＣコンクリートによるタイバーの施工方法は、大きな欠点を有しており、その改良が求められてきている。
【先行技術文献】
【特許文献】
【００１３】
【特許文献１】特開２０００−２９７４０３号公報
【発明の概要】
【発明が解決しようとする課題】
【００１４】
本発明が解決しようとする課題は、擁壁の積層現場において、擁壁裏面側に設置され擁壁の保持、及び補強用の部材となるタイバーは、型枠大工や配筋工を施工現場投入して、タイバーの型枠を製作し、配筋工が配筋を行った後にコンクリートを打設して鉄筋コンクリート製のタイバーを構築しているという不合理な点に注目した。施工現場に熟練度を必要とする型枠大工や、配筋工を投入して鉄筋コンクリート製のタイバーを現場施工とすることは、工期の短縮や施工費のコストダウンには繋がらないので、この点を解消する新しいタイバーの構造や施工方法を提供するものである。
【００１５】
また、擁壁裏面側に設置される略三角形状のタイバーをＰＣコンクリート部材で製作する従来工法もあるが、この工法では、大きくて重い略三角形状のＰＣコンクリート成形品からなるタイバーをＰＣ工場で製作して現場に搬入し、取付施工するもので、傾斜地を含む狭隘な地域での施工効率が非常に悪いものとなる。本発明は、この点を解消して傾斜地を含む狭隘な現場でも工事が短期間で、比較的安価に施工可能な擁壁の保持、補強用タイバーを提供するものである。
【課題を解決するための手段】
【００１６】
本発明は、施工現場に熟練度を有する型枠大工や配筋工を投入する必要性をなくし、且つ傾斜地を含む狭隘な地域における施工現場に施工性の悪い大きなＰＣコンクリート部材を搬入する事を解消するために下記の構成を開発した。即ち、親杭上部が構成する支柱により垂直方向に積層される複数枚の擁壁パネル、該積層された複数枚の擁壁パネルの裏面に設けられる全体形状が略直角三角形状のタイバー、該略直角三角形状のタイバーは直方体形状を有したＰＣコンクリートブロック片を下方より積み重ねて前記積層された複数枚の擁壁パネルからなる擁壁と一体的に構築されるもので、該擁壁パネルからなる擁壁とＰＣコンクリートブロック片からなる略直角三角形状のタイバーとの一体化は、縦横に配置され緊張可能な緊張シャフト又は緊張ワイヤーからなる緊張線にて行う構成とした。
【００１７】
また、本発明においては、施工形式の異なる擁壁構造、即ち、擁壁がタイバーを介してアンカーウェイトに接続されている場合には、親杭上部が構成する支柱により垂直方向に積層される複数枚の擁壁パネル、該積層された複数枚の擁壁パネルの裏面に設けられ直方体形状を有したＰＣコンクリートブロック片を下方より積み重ねて構成した略直角三角形状のタイバー、該略直角三角形状のタイバー先端部に設けられ支柱保持杭により安定地盤状に設置されたアンカーウェイトからなり、前記積層された擁壁パネルと略直角三角形状のタイバー及びアンカーウェイトは縦横に配置され緊張可能な緊張シャフト又は緊張ワイヤーからなる緊張線にて連繋し一体化されている構成とした。
【００１８】
そして、本発明におけるより具体的な実施例として、親杭上部が構成する支柱により垂直方向に積層される複数枚の擁壁パネル、該積層された複数枚の擁壁パネルの裏面に設けられる略直角三角形状のタイバー、該略直角三角形状のタイバーはＵ字形状を有したＰＣコンクリートブロック片を下方より積み重ね夫々のＵ字形状内部にコンクリートを打設可能となし前記積層された複数枚の擁壁パネルからなる擁壁と一体的に構築され、該擁壁パネルからなる擁壁とＵ字形状のＰＣコンクリートブロック片からなる略直角三角形状のタイバーの一体化は縦横に配置され緊張可能な緊張シャフト又は緊張ワイヤーからなる緊張線にて行う構成とすることで、施工現場に熟練度を有する型枠大工や配筋工を投入する必要性をなくし、且つ傾斜地を含む狭隘な地域における施工現場に施工性の悪い大きなＰＣコンクリート部材を搬入する事を解消する擁壁のタイバーを提供するものである。
【００１９】
同様に、本発明においては、親杭上部が構成する支柱により垂直方向に積層される複数枚の擁壁パネル、該積層された複数枚の擁壁パネルの裏面に設けられＵ字形状を有したＰＣコンクリートブロック片を下方より積み重ねて構成した略直角三角形状のタイバー、該略直角三角形状のタイバー先端部に設けられ支柱保持杭により安定地盤状に設置されたアンカーウェイトからなり、前記積層された擁壁パネルと略直角三角形状のタイバー及びアンカーウェイトは縦横に配置され緊張可能な緊張シャフト、又は緊張ワイヤーからなる緊張線にて連繋し一体化されていることでも施工現場に熟練度を有する型枠大工や配筋工を投入する必要性をなくし、且つ傾斜地を含む狭隘な地域における施工現場に施工性の悪い大きなＰＣコンクリート部材を搬入する事を解消する擁壁のタイバーを提供可能である。
【００２０】
更に、本発明においては、タイバーの摩擦力を増大して擁壁をより強力に保持、補強するために、略直角三角形状のタイバーを構成する直方体形状のＰＣコンクリートブロック片、並びにＵ字形状のＰＣコンクリートブロック片は、夫々ブロック片の側壁に突起したリブ部を有しており、該リブ部は前記ＰＣコンクリートブロック片を積層して略直角三角形状のタイバーを構築した際にタイバーの両側に広がるリブ壁を構成している。
【００２１】
また、本発明においては、施工現場に熟練度を有する型枠大工や配筋工を投入する必要性を排除するために、略直角三角形状のタイバーを構成する直方体形状のＰＣコンクリートブロック片、並びにＵ字形状のＰＣコンクリートブロック片には、ブロック片の積層後にコンクリートを打設することにより少なくとも夫々のＰＣコンクリートブロック片が縦方向に連繋可能なコンクリート流入用穴部を有しているタイバー片を提供するものである。
【発明の効果】
【００２２】
而して本発明は、擁壁の積層現場において、擁壁裏面側に設置され擁壁の保持、補強用の部材となるタイバーは、型枠大工や配筋工を投入して、タイバーの型枠を製作して、配筋工が配筋を行った後にコンクリートを打設して鉄筋コンクリート製のタイバーを構築するという効率の悪さを解消することができ、工期の短縮や施工費のコストダウンをはかることができた。
【００２３】
本発明にて擁壁裏面側に設置される略三角形状のタイバーを施工すると、従来例の如く、大きくて重い略三角形状のＰＣコンクリート成形品からなるタイバーをＰＣ工場で製作して現場に搬入し取付施工する必要がなくなり、傾斜地を含む狭隘な現場でも工事が短期間で、比較的安価に施工可能な擁壁の保持、補強用タイバーを提供可能にした。
【００２４】
また、本発明において構成されるタイバーは、擁壁の裏面に設置される略直角三角形状のＰＣコンクリートブロック片からなる一体化されたタイバーであり、該タイバーは略直角三角形の隣辺が積層された擁壁の裏面に一体化されて略直角三角形状のタイバーが安定地盤側に向かって伸びている筋交い形状物を構成しており、積層された擁壁や擁壁の支柱が屈折して崩壊しないように強固に保持、補強されている。
【００２５】
更に、本発明は、型枠大工や配筋工などの熟練工を必要とせず、また、傾斜地を含む狭隘な地域でも工事が可能であり、その施工方法も簡略化されていて工事が短期間で行えることから、災害復旧等の緊急工事用にも適しておりその利用価値は多大なものがある。
【図面の簡単な説明】
【００２６】
【図１】（Ａ）本発明に使用される擁壁パネルの形状を示す平面図である。           （Ｂ）本発明に使用される擁壁パネルの形状を示す正面図である。
【図２】本発明を傾斜地に実施した状態を示す平面説明図である。
【図３】実施例１を説明する斜視図で擁壁パネル、タイバー、アンカーウェイトの構成説明図である。
【図４】実施例１を説明するＰＣコンクリートブロック片からなるタイバー部材形状図である。
【図５】実施例１を説明するタイバーを示す側面図である。
【図６】実施例２を説明するＰＣコンクリートブロック片からなるタイバー部材形状図である。
【図７】実施例２を説明するタイバー斜視図である。
【図８】実施例３を説明するＰＣコンクリートブロック片からなるタイバー部材形状図である。
【図９】実施例３を説明するタイバー側面図である。
【図１０】従来の擁壁の施工例を説明する側断面図である。
【発明を実施するための形態】
【００２７】
従来、擁壁の積層現場において、擁壁の裏面に設けられるタイバーは、型枠大工や配筋工を投入して、タイバーの略三角形状の型枠を製作してしてから配筋工が配筋を行った後にコンクリートを打設して、鉄筋コンクリート製のタイバーを構築しているが、施工現場に熟練度を必要とする型枠大工や配筋工を投入して鉄筋コンクリート製のタイバーを現場施工することは、工期の短縮や施工費のコストダウンには繋がらない。
【００２８】
また、擁壁裏面側に設置される略三角形状のタイバーをＰＣコンクリート部材で製作する従来工法もあるが、この工法では、大きくて重い略三角形状のＰＣコンクリート成形品からなるタイバーをＰＣ工場で製作して現場に搬入し、取付施工するもので、傾斜地を含む狭隘な地域での施工効率が非常に悪いものとなる。本発明は、この点に鑑みてなされたものであり、従来の欠点を解消して傾斜地を含む狭隘な現場でも工事が短期間で、比較的安価に施工可能な擁壁の保持、補強用タイバーを提供するものである。
【００２９】
斯くして、本発明は、施工現場に熟練度を有する型枠大工や配筋工を投入する必要性をなくし、且つ傾斜地を含む狭隘な地域における施工現場に施工性の悪い大きなＰＣコンクリート部材を搬入する事を解消するために下記の構成を開発した。即ち、親杭上部が構成する支柱により垂直方向に積層される複数枚の擁壁パネル、該積層された複数枚の擁壁パネルの裏面に設けられる略直角三角形状のタイバー、該略直角三角形状のタイバーは直方体形状を有したＰＣコンクリートブロック片を下方より積み重ねて前記積層された複数枚の擁壁パネルからなる擁壁と一体的に構築され、該擁壁パネルからなる擁壁とＰＣコンクリートブロック片からなる略直角三角形状のタイバーとの一体化は、縦横に配置され緊張可能な緊張シャフト又は緊張ワイヤーからなる緊張線にて行う構成とした。
【００３０】
また、本発明においては、施工形式の異なる擁壁構造、即ち、擁壁がタイバーを介してアンカーウェイトに接続されている場合には、親杭上部が構成する支柱により垂直方向に積層される複数枚の擁壁パネル、該積層された複数枚の擁壁パネルの裏面に設けられ直方体形状を有したＰＣコンクリートブロック片を下方より積み重ねて構成した略直角三角形状のタイバー、該略直角三角形状のタイバー先端部に設けられ支柱保持杭により安定地盤状に設置されたアンカーウェイトからなり、前記積層された擁壁パネルと略直角三角形状のタイバー及びアンカーウェイトは縦横に配置され緊張可能な緊張シャフト又は緊張ワイヤーからなる緊張線にて連繋し一体化されている構成とした。
【００３１】
そして、本発明におけるより具体的な実施例として、親杭上部が構成する支柱により垂直方向に積層される複数枚の擁壁パネル、該積層された複数枚の擁壁パネルの裏面に設けられる略直角三角形状のタイバー、該略直角三角形状のタイバーはＵ字形状を有したＰＣコンクリートブロック片を下方より積み重ね夫々のＵ字形状内部にコンクリートを打設可能となし前記積層された複数枚の擁壁パネルからなる擁壁と一体的に構築され、該擁壁パネルからなる擁壁とＵ字形状のＰＣコンクリートブロック片からなる略直角三角形状のタイバーの一体化は縦横に配置され緊張可能な緊張シャフト又は緊張ワイヤーからなる緊張線にて行う構成とすることで、施工現場に熟練度を有する型枠大工や配筋工を投入する必要性をなくし、且つ傾斜地を含む狭隘な地域における施工現場に施工性の悪い大きなＰＣコンクリート部材を搬入する事を解消する擁壁のタイバーを提供するものである。
【００３２】
同様に、本発明においては、親杭上部が構成する支柱により垂直方向に積層される複数枚の擁壁パネル、該積層された複数枚の擁壁パネルの裏面に設けられＵ字形状を有したＰＣコンクリートブロック片を下方より積み重ねて構成した略直角三角形状のタイバー、該略直角三角形状のタイバー先端部に設けられ支柱保持杭により安定地盤状に設置されたアンカーウェイトからなり、前記積層された擁壁パネルと略直角三角形状のタイバー及びアンカーウェイトは縦横に配置され緊張可能な緊張シャフト、又は緊張ワイヤーからなる緊張線にて連繋し一体化されていることでも施工現場に熟練度を有する型枠大工や配筋工を投入する必要性をなくし、且つ傾斜地を含む狭隘な地域における施工現場に施工性の悪い大きなＰＣコンクリート部材を搬入する事を解消する擁壁のタイバーを提供可能である。
【００３３】
更に、本発明においては、タイバーの摩擦力を増大して擁壁をより強力に保持、補強するために、略直角三角形状のタイバーを構成する直方体形状のＰＣコンクリートブロック片、並びにＵ字形状のＰＣコンクリートブロック片は、夫々ブロック片の側壁に突起したリブ部を有しており、該リブ部は前記ＰＣコンクリートブロック片を積層して略直角三角形状のタイバーを構築した際にタイバーの両側に広がるリブ壁を構成している。
【００３４】
また、本発明においては、施工現場に熟練度を有する型枠大工や配筋工を投入する必要性を排除するために、略直角三角形状のタイバーを構成する直方体形状のＰＣコンクリートブロック片、並びにＵ字形状のＰＣコンクリートブロック片には、ブロック片の積層後にコンクリートを打設することにより少なくとも夫々のＰＣコンクリートブロック片が縦方向に連繋可能なコンクリート流入用穴部を有しているタイバー片を提供するものである。
【実施例１】
【００３５】
図１乃至図５は本発明の実施例１を説明するものであり、図１（Ａ）は本発明に使用される擁壁パネルの平面図、図１（Ｂ）は図１（Ａ）の正面図、図２は本発明を傾斜地に実施した状態を示す平面説明図、図３は実施例１を説明する斜視図で擁壁パネル、タイバー、アンカーウェイトの構成説明図、図４は、ＰＣコンクリートブロック片からなるタイバー部材形状図、図５はタイバーを説明する側面図である。
【００３６】
図１（Ａ）（Ｂ）において、１は擁壁パネル、２は擁壁パネル１の中央部に構成される貫通穴、３はタイバー固着面、４は擁壁パネルを積層する際に他の擁壁パネルとの嵌合に使用されるガイドピンを示している。
【００３７】
実施例１において、擁壁を構成する夫々の擁壁パネル１は中央部に親杭の上部が構成するＨ型鋼等による支柱を挿入できる貫通穴２を有し、該貫通穴２の外周部にはブラケット状に突設された形状で一部にタイバー固着面３を形成可能であり、該擁壁パネル１の表面は前記支柱の貫通穴２を中心に左右方向に等しく展開する平板形状を有しており、該擁壁パネル１は打設された親杭の上部に形成された支柱に挿入されて積層され擁壁を構成するものである。
【００３８】
また、本発明においては、詳しく後述するが、前記擁壁パネル１はタイバーを介して傾斜面側の安定地盤上に設置され場合にアンカーウェイトの役割をも果たすもので、実施例１においは、擁壁パネル１と同一部材を兼用するものであるが、当該部分はアンカーウェイトの名称を用いて実施例１を説明していくものである。
【００３９】
図２は本発明を傾斜地に実施他状態を示す平面図であり、図２において、１ａ、１ｂ、１ｃ・・・は擁壁パネル、２ａ、２ｂ、２ｃ・・・は貫通穴、５ａ、５ｂ、５ｃ・・・は親杭の上部の形成された支柱、６ａ、６ｂ、６ｃ・・・はアンカーウェイトで、該アンカーウェイト６ａ、６ｂ、６ｃ・・・は夫々前記擁壁パネル１ａ、１ｂ、１ｃ・・・と同様の物が使用され、アンカーウェイト６ａ、６ｂ、６ｃ・・・は擁壁パネル１ａ、１ｂ、１ｃ・・・と同様に支柱５ａ、５ｂ、５ｃ・・・により保持されている。
【００４０】
そして、７は略直角三角形状を有するタイバーで、夫々の擁壁パネル１ａ、１ｂ、１ｃ・・・とアンカーウェイト６ａ、６ｂ、６ｃ…を夫々連結して一体化されており、該一体化の方法は後述するが緊張線材による緊張固定方法を採用している。
尚、図２において、８は擁壁基盤、９は階段を示している。
【００４１】
図３は、図２のＡ−Ａ部分を斜視図表示すものであり、図３において、１０は積層された擁壁パネル１ａ、１ｂ、１ｃ・・・が形成する擁壁、２は貫通穴、５は親杭１１の上部に形成された支柱、６はアンカーウェイト、７は略直角三角形のタイバー、１２ａ、１２ｂ、１２ｃ・・・はタイバー７を構成するＰＣコンクリートブロック片、１３はタイバー端部役物、１４ａ、１４ｂはシース管１７に内蔵された横緊張線、１５ａ、１５ｂは同様にシース管に内蔵された縦緊張線、１６はアンカーウェイト６を保持する支柱の親杭、８は擁壁基盤、２０は基台を構成する擁壁パネルを示している。
【００４２】
図４は前記アンカーウェイト７を構成するＰＣコンクリートブロック片１２の直方体形状と、タイバー端部役物１３、そして、シース管１７に内蔵された横緊張線１４ａ、１４ｂ、１４ｃ、１４ｄ、並びにシース管１７に内蔵された縦緊張線１５ａ、１５ｂを示している。
【００４３】
また、実施例１の側面図を示す図５において、図１乃至図４と同一符号は、同一構成要素を示しており、１、１ａ、１ｂ、１ｃ・・・は擁壁パネル、１０は擁壁パネルが支柱５により保持されて積層され擁壁を構成している。１２ａ、１２ｂ、１２ｃ・・・はタイバー７を構成するＰＣコンクリートブロック片、１３はタイバー端部役物、１４ｂ、１４ｃはシース管に内蔵された横緊張線、１５ｂはシース管に内蔵された縦緊張線で、横緊張線１４、並びに縦緊張線１５の端は夫々緊張線材の係止端部１８と他端には外端部緊締ネジ部１９が設けられており、外端部緊締ネジ部１９を締め付けすることにより、前記ＰＣコンクリートブロック片１２ａ、１２ｂ、１２ｃ・・・を連結して、略直角三角形状のタイバー７を形成する他、前記擁壁パネル１ａ、１ｂ、１ｃ・・・をタイバー７を介してアンカーウェイト６に連結固定して、擁壁１０を強固に保持固定している。
尚、図５において、２１は安定地盤、２２は擁壁により形成された人工地盤、２３は親杭に打設された支柱間を連結する頭繋ぎ部材である。
【００４４】
斯くして、実施例１の発明は、親杭１１上部が構成する支柱５により垂直方向に積層される複数枚の擁壁パネル１ａ、１ｂ、１ｃ・・・、該積層された複数枚の擁壁パネル１ａ、１ｂ、１ｃ・・・の裏面に設けられる略直角三角形状のタイバー７、該略直角三角形状のタイバー７は直方体形状を有したＰＣコンクリートブロック片１２ａ、１２ｂ、１２ｃ・・・を下方より積み重ねて前記積層された複数枚の擁壁パネル１ａ、１ｂ、１ｃ・・・からなる擁壁１０と一体的に構築され、該擁壁パネル１ａ、１ｂ・・・からなる擁壁１０とＰＣコンクリートブロック片１２ａ、１２ｂ、１２ｃ・・・からなる略直角三角形状のタイバー７との一体化は縦横に配置され緊張可能な緊張シャフト又は緊張ワイヤーからなる緊張線１４ａ、１４ｂ、１４ｃ・・・と緊張線１５ａ、１５ｂ、１５ｃ・・・にて行う構成の擁壁裏面を保持補強するためのタイバーを提供するものである。
【００４５】
また、実施例１の他の構成は、親杭１１上部が構成する支柱５により垂直方向に積層される複数枚の擁壁パネル１ａ、１ｂ、１ｃ・・・、該積層された複数枚の擁壁パネル１ａ、１ｂ、１ｃ・・・の裏面に設けられ直方体形状を有したＰＣコンクリートブロック片１２ａ、１２ｂ、１２ｃ・・・を下方より積み重ねて構成した略直角三角形状のタイバー７、該略直角三角形状のタイバー先端部１２ａ、１２ｂ、１２ｃ・・・に設けられ支柱保持用親杭１６により安定地盤上に設置されたアンカーウェイト６からなり、前記積層された擁壁パネル１ａ、１ｂ、１ｃ・・・と略直角三角形状のタイバー７、及びアンカーウェイト６は縦横に配置され緊張可能な緊張シャフト、又は緊張ワイヤーからなる緊張線１４ａ、１４ｂ、１４ｃ・・・と緊張線１５ａ、１５ｂ、１５ｃ・・・にて連繋し一体化されている擁壁裏面を保持補強するためのタイバーを提供するものである。
【００４６】
そして、実施例１の構成を採用することで本発明は、傾斜地を有する狭隘な地域においても、現場に搬入するタイバー部材は、複数のＰＣコンクリートブロック片１２ａ、１２ｂ、１２ｃ・・・等とタイバー端部役物１３となるために、従来例の如く、大きくて重い略三角形状のＰＣコンクリート成形品からなるタイバーをＰＣ工場で製作して現場に搬入し取付施工する必要がなくなり、傾斜地を含む狭隘な現場でも工事が短期間で、比較的安価に施工可能な擁壁の保持、補強用タイバーを提供可能である他、擁壁の積層現場において、擁壁裏面側に設置され擁壁の保持、補強用の部材となるタイバーは、型枠大工や配筋工を投入して、タイバーの型枠を製作して、配筋工が配筋を行った後にコンクリートを打設して鉄筋コンクリート製のタイバーを構築するという効率の悪さを解消することができ、工期の短縮や施工費のコストダウンをはかることができ、また災害時等の緊急対応時にも極めて有効に利用できるものである。
【実施例２】
【００４７】
図６及び図７は、本発明の実施例２を説明するもので、図６は実施例２を説明するＰＣコンクリートブロック片からなるタイバー部材形状図、図７は実施例２を説明するタイバー斜視図である。図６及び図７において、１２はＰＣコンクリートブロック片であり、該ＰＣコンクリートブロック片１２の両側面には夫々ブロック片の側壁に突起したリブ部２４を有しており、該リブ部２４は前記ＰＣコンクリートブロック片１２を積層して略直角三角形状のタイバーを構築した際にタイバーの両側に広がるリブ壁２５を構成可能で、該リブ壁２５は人工地盤２７内においてタイバー７の摩擦力を増大して擁壁をより強力に保持、補強するためのものである。
【００４８】
また、図６は、前記アンカーウェイト７を構成するＰＣコンクリートブロック片１２と、タイバー端部役物１３、そして、シース管１７に内蔵された横緊張線１４ａ、１４ｂ、１４ｃ、１４ｄ、並びに前記リブ部２４にも設けられたシース管１７に内蔵された縦緊張線１５ａ、１５ｂと、該縦緊張線１５ａ、１５ｂの外端部緊締ネジ部１９が設けられている。
【００４９】
図７は、図６の構成を有するＰＣコンクリートブロック片を斜視図表示すものであり、図７において、１０は積層された擁壁パネル１ａ、１ｂ、１ｃ・・・が形成する擁壁、２は貫通穴、５は親杭１１の上部に形成された支柱、６はアンカーウェイト、７は略直角三角形のタイバー、１２ａ、１２ｂ、１２ｃ・・・はタイバー７を構成するＰＣコンクリートブロック片、２５はリブ部２４が構成するリブ壁、１３はタイバー端部役物、１８は外端部緊締ネジ部で、夫々のコンクリートブロック片１２は１シース管に内蔵された横緊張線１４ａ、１４ｂ、１４ｃ・・・と、シース管に内蔵された縦緊張線１５ａ、１５ｂ、により一体化されタイバー７を構成している。尚、図７においては、アンカーウェイト６とアンカーウェイト６保持する支柱の親杭は設置しなくても良く、該アンカーウェイト６の機能はリブ壁２５がその機能を果たしているものである。
【００５０】
斯くして、実施例２は、前記略直角三角形状のタイバー７を構成する直方体形状のＰＣコンクリートブロック片１２ａ、１２ｂ１２ｃ・・・からなり、該夫々ブロック片の側壁に突起したリブ部を有しており、該リブ部２４は前記ＰＣコンクリートブロック片を積層して略直角三角形状のタイバーを構築した際にタイバーの両側に広がるリブ壁２５を構成したことを特徴とするものであり、タイバー７の摩擦力を増大して擁壁をより強力に保持、補強する事が可能である。
【実施例３】
【００５１】
図８及び図９は、本発明の実施例３を説明するもので、図８は実施例３を説明するＰＣコンクリートブロック片からなるタイバー部材形状図、図９は実施例３を説明するタイバー側面図である。図８及び図９において、２６はＵ字形状を有したＰＣコンクリートブロック片であり、該Ｕ字形状を有したＰＣコンクリートブロック片２６のＵ字溝２７内部にはシース管１７に内蔵された横緊張線１４ａ、１４ｂが配設されている。また、前記Ｕ字形状を有するＰＣコンクリートブロック片２６の底面にはコンクリート流入用穴部２８が穿設されており、Ｕ字形状を有するＰＣコンクリートブロック片２６は積層された後、コンクリートを打設して略直角三角形状のタイバー７を構成することができ、該直角三角形のタイバー７は擁壁１０と横緊張線１４ａ、１４ｂ等にて一体化することが可能であり、また必要に応じて図９の如く、擁壁１０とアンカーウェイト６を直角三角形のタイバーを介して一体化することが可能である。
【００５２】
従って、実施例3では、親杭１１上部が構成する支柱５により垂直方向に積層される複数枚の擁壁パネル１ａ、１ｂ１Ｃ・・・、該積層された複数枚の擁壁パネル１ａ、１ｂ、１ｃ・・・の裏面に設けられる略直角三角形状のタイバー７、該略直角三角形状のタイバー７はＵ字形状を有したＰＣコンクリートブロック片２６を下方より積み重ね夫々のＵ字溝２７内部にコンクリートを打設可能となし、前記積層された複数枚の擁壁パネル１ａ、１ｂ、１ｃ・・・からなる擁壁１０と一体的に構築可能で、該擁壁パネル１ａ、１ｂ、１ｃ・・・からなる擁壁１０とＵ字形状のＰＣコンクリートブロック片２６からなる略直角三角形状のタイバー７の一体化は縦横に配置され緊張可能な緊張シャフト又は緊張ワイヤーからなる横緊張線１４ａ、１４ｂ、並びに縦緊張線１５ａ、１５ｂ等にて行うことで略直角三角形状の大きなタイバー７を構築するものである。
【００５３】
また、実施例３では、前記略直角三角形状のタイバー７を構成するＵ字形状のＰＣコンクリートブロック片２６の両側面に側壁に突起したリブ部２４設け、該リブ部２４は前記ＰＣコンクリートブロック片を積層して略直角三角形状のタイバーを構築した際にタイバー７の両側に広がるリブ壁２５を構成する様になし、該リブ壁２５は人工地盤２７内においてタイバー７の摩擦力を増大して擁壁をより強力に保持、補強する事も可能である。
【００５４】
斯くして、実施例３においては、傾斜地を有する狭隘な地域においても、現場に搬入するタイバー部材は、複数のＵ字形状を有するＰＣコンクリートブロック片２６とタイバー端部役物１３となるために、従来例の如く、大きくて重い略三角形状のＰＣコンクリート成形品からなるタイバーをＰＣ工場で製作して現場に搬入し、取付施工する必要がなくなり、傾斜地を含む狭隘な現場でも工事が短期間で、比較的安価に施工可能な擁壁の保持、補強用タイバーを提供可能である他、擁壁の積層現場において、擁壁裏面側に設置され擁壁の保持、補強用の部材となるタイバーは、型枠大工や配筋工を投入して、タイバーの型枠を製作して、配筋工が配筋を行った後にコンクリートを打設して鉄筋コンクリート製のタイバーを構築するという効率の悪さを解消することができ、工期の短縮や施工費のコストダウンをはかることができ、また災害時等の緊急対応時にも極めて有効に利用できるものである。
【符号の説明】
【００５５】
１、１ａ、１ｂ、１ｃ・・・擁壁パネル
２  貫通穴
３  固着面
４  ガイドピン
５、５ａ、５ｂ、５ｃ・・・  支柱
６、６ａ、６ｂ、６ｃ・・・アンカーウェイト
７  タイバー
８  擁壁基盤
９  階段
１０  擁壁
１１  親杭
１２、１２ａ、１２ｂ、１２ｃ・・・  ＰＣコンクリートブロック片
１３  タイバー端部役物
１４ａ、１４ｂ、１４ｃ・・・  横緊張線
１５ａ、１５ｂ、１５ｃ・・・  縦緊張線
１６  アンカーウェイト支持用の親杭
１７  シース管
１８  緊張線係止端部
１９  外部端緊締ネジ部
２０  基台を構成する擁壁パネル
２１  安定地盤
２２  人工地盤
２３  頭繋ぎ部材
２４  リブ部
２５  リブ壁
２６  Ｕ字形状を有したＰＣコンクリートブロック片
２７  Ｕ字溝
２８  コンクリート流入用穴部
【図１】
2012167460.tif 000003
【図２】
2012167460.tif 000004
【図３】
2012167460.tif 000005
【図４】
2012167460.tif 000006
【図５】
2012167460.tif 000007
【図６】
2012167460.tif 000008
【図７】
2012167460.tif 000009
【図８】
2012167460.tif 000010
【図９】
2012167460.tif 000011
【図１０】
2012167460.tif 000012